(57)【要約】      （修正有）【課題】車載用映像再生装置に関し、安全性を向上させる。【解決手段】制御部９は、後席重量センサ１２，１３により後席乗車人物の特定を行うと、表示部８に表示する特定人物ごとの表示内容を、後席シートベルト装着検出センサ１０、１１の装着回数に応じて、変更する構成としたものであるので、シートベルトを装着するごとに表示部８に表示する前記特定人物ごとの表示内容が更新され、その結果として、シートベルトの装着が楽しいものとして習慣づけができ、これにより安全性を向上することが出来るのである。【選択図】図３
2013199219.tif 000002
【特許請求の範囲】
【請求項１】
後席用表示部と、この後席用表示部に接続した制御部と、この制御部に接続した後席シートベルト装着検出センサ、後席重量センサ、操作部、メモリおよび電源部とを備え、前記制御部は、前記後席重量センサにより後席乗車人物の特定を行うと、前記表示部に表示する前記特定人物ごとの表示内容を、前記後席シートベルト装着検出センサの装着回数に応じて、変更する構成とした車載用映像再生装置。
【請求項２】
メモリには、特定人物ごとの表示内容を記憶させた請求項１に記載の車載用映像再生装置。
【請求項３】
制御部は、電源部からの連続通電中は、特定人物ごとの表示内容の変更回数を１回とした請求項１または２に記載の車載用映像再生装置。
【発明の詳細な説明】
【技術分野】
【０００１】
本発明は、後席用表示部を備えた車載用映像再生装置に関するものである。
【背景技術】
【０００２】
この種の車載用映像再生装置は、後席側に後席用表示部を設けることで、後席に乗車する人物が、各種映像を楽しむものとなっている。
【０００３】
後席に乗車する人物としては、子供の場合も多いのであるが、この後席用表示部の映像を熱心に視聴するあまり、シートベルトの装着を忘れることがある。
【０００４】
そこで、例えば下記特許文献１では、シートベルトの装着の有無を運転席側の表示部に表示させるようにしている。
【先行技術文献】
【特許文献】
【０００５】
【特許文献１】特開２００９−１７３１７３号公報
【発明の概要】
【発明が解決しようとする課題】
【０００６】
上記従来例は、シートベルトの装着の有無を運転席側の表示部に表示させるようにしているので、例えば、運転者から後席の子供に、シートベルトの装着を指示することができる。
【０００７】
しかしながら、運転者からの指示が無ければ、シートベルトの装着は実行されないことが多く、安全性に課題を残すものであった。
【０００８】
そこで、本発明は、安全性を向上することを目的とするものである。
【課題を解決するための手段】
【０００９】
そしてこの目的を達成するために本発明は、後席用表示部と、この後席用表示部に接続した制御部と、この制御部に接続した後席シートベルト装着検出センサ、後席重量センサ、操作部、メモリおよび電源部とを備え、前記制御部は、前記後席重量センサにより後席乗車人物の特定を行うと、前記表示部に表示する前記特定人物ごとの表示内容を、前記後席シートベルト装着検出センサの装着回数に応じて、変更する構成とし、これによって所期の目的を達成するものである。
【発明の効果】
【００１０】
以上のように本発明は、後席用表示部と、この後席用表示部に接続した制御部と、この制御部に接続した後席シートベルト装着検出センサ、後席重量センサ、操作部、メモリおよび電源部とを備え、前記制御部は、前記後席重量センサにより後席乗車人物の特定を行うと、前記表示部に表示する前記特定人物ごとの表示内容を、前記後席シートベルト装着検出センサの装着回数に応じて、変更する構成としたものであるので、安全性を向上することが出来る。
【００１１】
すなわち、本発明の制御部は、前記後席重量センサにより後席乗車人物の特定を行うと、前記表示部に表示する前記特定人物ごとの表示内容を、前記後席シートベルト装着検出センサの装着回数に応じて、変更する構成としたものであるので、シートベルトを装着す
るごとに前記表示部に表示する前記特定人物ごとの表示内容が更新され、その結果として、シートベルトの装着が楽しいものとして習慣づけができ、これにより安全性を向上することが出来るのである。
【図面の簡単な説明】
【００１２】
【図１】本発明の一実施形態にかかる車載用映像再生装置を搭載した自動車を示す図
【図２】同車載用映像再生装置を示す斜視図
【図３】同制御ブロック図
【図４】同動作フローチャート
【図５】同動作を示す図
【図６】同動作を示す図
【発明を実施するための形態】
【００１３】
以下、本発明の一実施形態を、添付図面を用いて説明する。
（実施の形態１）
図１において、１は自動車で、車内２の前方には、運転席３と助手席（図示せず）が配置され、運転席３の前方には、ハンドル３ａが配置されている。
【００１４】
また、車内２の後方には、後席４、５が配置されている。さらに、運転席３と後席４間の天井部分には、車載用映像再生装置６が配置されている。
【００１５】
車載用映像再生装置６は、図２に示すように本体ケース７に対して表示部８が開閉自在に設けられており、この表示部８を開放した状態で、後席４、５から映像を視聴するようにしている。
【００１６】
また、表示部８には図３のごとく、制御部９が接続され、この制御部９には、後席４に設けた後席シートベルト装着検出センサ１０、後席５に設けた後席シートベルト装着検出センサ１１、後席４に設けた後席重量センサ１２、後席５に設けた後席重量センサ１３、操作部１４、メモリ１５、電源部１６、および映像処理部１７が接続されている。
【００１７】
また、映像処理部１７には、映像再生部１８、映像出力部１９が接続されている。
【００１８】
以上の構成において、先ずメモリ１５には、後席４、または５に座る男の子と、女の子の体重が事前に登録されている。
例えば、後席４に男の子が座った状態で後席重量センサ１２によって体重を測定し、このときの測定体重をメモリ１５に「男の子特定体重」として記録させ、以降、後席重量センサ１２、１３にて測定した体重が、前記「男の子特定体重」に近い場合（上下１０％以内）には、後席４、または５に座った人物が男の子であると特定するようにしている。
【００１９】
また、この男の子用として、図５に示す映像が、メモリ１５に記憶されている。
【００２０】
同じように、後席４に女の子が座った状態で後席重量センサ１２によって体重を測定し、このときの測定体重をメモリ１５に「女の子特定体重」として記録させ、以降、後席重量センサ１２、１３にて測定した体重が、前記「女の子特定体重」に近い場合（上下１０％以内）には、後席４、または５に座った人物が女の子であると特定するようにしている。
【００２１】
また、この女の子用として、図６に示す映像が、メモリ１５に記憶されている。
【００２２】
以上の状況において、例えば、男の子が後席４に座り、車載用映像再生装置６の視聴を
開始しようとすると（図４のＳ１）、先ずは後席シートベルト装着検出センサ１０によってシートベルト２０が装着されたか否かが検出される（図４のＳ２）。
【００２３】
シートベルト２０の装着が検出されない時には、車載用映像再生装置６は起動されないが（図４のＳ３）、シートベルト２０が装着されると車載用映像再生装置６が起動される（図４のＳ４）。
【００２４】
続いて、後席重量センサ１２にて測定した体重が、前記「男の子特定体重」に近い場合（上下１０％以内）には、後席４に座った人物が男の子であると特定（図４のＳ５）するとともに、今回の測定体重を、「男の子特定体重」として更新する（図４のＳ６）。
【００２５】
（図４のＳ５）において、後席４に座って人物が男の子と特定されると、表示部８には図５（ａ）の映像が表示される（図４のＳ７）。
【００２６】
続いて、制御部９は再び電源部１６からの電源供給を検出し（図４のＳ７）、電源が供給されていれば（図４のＳ８）、再度シートベルト２０の装着状態を検出し（図４のＳ９）、希望する、例えばディスクの映像を視聴することが出来るようになっている（図４のＳ１０）。
【００２７】
つづいて、自動車１が例えば食事のためにパーキングに到着し、エンジンを停止すると、制御部９は（図４のＳ８）において、電源供給が断たれたことを検出し、カウントを（Ｎ＋１）とする（図４のＳ１１）。
【００２８】
次に、食事が終わり、再度（図４のＳ１）からの動作が行われると、今度は（図４のＳ７）において、カウントが（Ｎ＋１）となっているので、表示部８には図５（ｂ）の表示がなされることになる。
【００２９】
同じように、次回は図５（ｃ）の表示がなされ、その後は図５（ｄ）の表示がなされることになる。
【００３０】
つまり、男の子にとって興味のある映像が、シートベルト２０の装着毎に、更新され、図５の例ではロボットが完成する。
【００３１】
その結果として、シートベルト２０の装着が楽しいものとして習慣づけができ、これにより安全性を向上することが出来るのである。
【００３２】
なお、このようなロボット映像を更新させようとして（図４のＳ８、９、１０）のループ中に、シートベルト２０を外すと、（図４のＳ９）において、その状態が検出され、今まで再生されていたディスクの映像、音声が途切れることとなる（図４のＳ１２）ので、このような悪戯は回避できるものとなる。
【００３３】
なお、（図４のＳ５）において、測定した体重がメモリ１５に記憶させている男の子や女の子とは、上下１０％よりも大きい場合には、後席４に座った人物が、特定の男の子や女の子とは異なるものとして、例えばディスクの映像を視聴することが出来るようになっている（図４のＳ１３）。
【００３４】
また、測定した体重から、後席４に座った人物が、特定の女の子であると判断されると、
表示部８には図６（ａ）〜（ｄ）のような庭に花が咲く映像が更新されるようになっている。
【００３５】
さらに、以上の説明では、後席４について説明したが、後席５についても、全く同じ動作が行われるようになっており、シートベルト２１の装着によって図５または図６のごとく、映像が更新されるようになっている。
【００３６】
また、後席４に特定の男の子、後席５に特定の女の子が座り、それぞれシートベルト２０、２１を装着すると、表示部８には、図５、図６の映像が順番に表示されるようにしてもよい。
【産業上の利用可能性】
【００３７】
以上のように本発明の制御部は、後席重量センサにより後席乗車人物の特定を行うと、表示部に表示する特定人物ごとの表示内容を、後席シートベルト装着検出センサの装着回数に応じて、変更する構成としたものであるので、シートベルトを装着するごとに表示部に表示する前記特定人物ごとの表示内容が更新され、その結果として、シートベルトの装着が楽しいものとして習慣づけができ、これにより安全性を向上することが出来るのである。
【００３８】
したがって、車載用映像再生装置としての活用が期待されるものとなる。
【符号の説明】
【００３９】
１  自動車
２  車内
３  運転席
３ａ  ハンドル
４  後席
５  後席
６  車載用映像再生装置
７  本体ケース
８  表示部
９  制御部
１０  後席シートベルト装着検出センサ
１１  後席シートベルト装着検出センサ
１２  後席重量センサ
１３  後席重量センサ
１４  操作部
１５  メモリ
１６  電源部
１７  映像処理部
１８  映像再生部
１９  映像出力部
２０  シートベルト
２１  シートベルト
【図１】
2013199219.tif 000003
【図２】
2013199219.tif 000004
【図３】
2013199219.tif 000005
【図４】
2013199219.tif 000006
【図５】
2013199219.tif 000007
【図６】
2013199219.tif 000008